(57)【要約】【課題】  緩衝体がへたったり折り癖がついたり、あるいは汚れたり破損した場合にも、背負い心地を改善し、清潔な状態で使用することができ、また、使用者の体型に合わせて背負い心地を調整できるようにした背負い鞄の提供。【解決手段】背負い鞄本体２，１８の背当て面に、背中用緩衝体Ａ，Ｃ，Ｅを、緩衝体取付手段により接離自在にして取り付けてなる背負い鞄。背負いベルトの内面の肩に当接することとなる部分に、肩用緩衝体Ｂ，Ｄ，Ｆを緩衝体取付手段により接離自在にして取り付けてなる背負い鞄。【選択図】  図１
2006122543.tif 000002
【特許請求の範囲】
【請求項１】
背負い鞄本体の背当て面に、背中用緩衝体を、緩衝体取付手段により接離自在にして取り付けてなることを特徴とする背負い鞄。
【請求項２】
背負いベルトの内面の肩に当接することとなる部分に、肩用緩衝体を緩衝体取付手段により接離自在にして取り付けてなることを特徴とする背負い鞄。
【請求項３】
背負い鞄本体の背当て面に、背中用緩衝体を、緩衝体取付手段により接離自在にして取り付けるとともに、背負いベルトの内面の肩に当接することとなる部分に、肩用緩衝体を緩衝体取付手段により接離自在にして取り付けてなることを特徴とする背負い鞄。
【請求項４】
上記背中用緩衝体が、上記背当て面とほぼ同幅の角形Ｕ字状で肉厚のものであることを特徴とする請求項１または３記載の背負い鞄。
【請求項５】
複数の上記背中用緩衝体を、背負い鞄本体の背当て面の任意の位置に接離自在にして取り付けてなることを特徴とする請求項１または３記載の背負い鞄。
【請求項６】
上記肩用緩衝体が、背負いベルトの内面の上記肩に当接することとなる部分とほぼ同形同大のものであることを特徴とする請求項２または３記載の背負い鞄。
【請求項７】
複数の上記肩用緩衝体を、背負いベルトの内面の上記肩に当接することとなる部分に接離自在にして取り付けてなることを特徴とする請求項２または３記載の背負い鞄。
【請求項８】
上記緩衝体取付手段が、面ファスナーであることを特徴とする請求項１，２，３，４，５，６または７記載の背負い鞄。
【請求項９】
上記緩衝体取付手段が、フックと受け金であることを特徴とする請求項１，２，３，４，５，６または７記載の背負い鞄。
【請求項１０】
上記緩衝体取付手段が、スナップであることを特徴とする請求項１，２，３，４，５，６または７記載の背負い鞄。
【請求項１１】
上記緩衝体取付手段が、接離自在な接着剤であることを特徴とする請求項１，２，３，４，５，６または７記載の背負い鞄。
【発明の詳細な説明】
【技術分野】
【０００１】
本発明は、ランドセルやリュックサック等の背負い鞄の改良に関する。
【背景技術】
【０００２】
従来、ランドセルやリュックサック等の各種背負い鞄の背負い心地（フィット感）を向上させるために、背中に当接する背負い鞄本体前面の背当て板や、肩に当接する肩紐に、スポンジシート製等の厚手の緩衝体を内蔵させることが行われていたが、このような厚手の緩衝体は、背負い心地の向上のために厚くすればするほど、汗や湿気による蒸れの原因になるととともに該背負い鞄の軽量化の妨げになるという問題があった。
【０００３】
これに対し、本発明者らは既に、所要厚さの緩衝体を内蔵するとともに長孔を開設したり切込みを入れて通気性をよくした肩紐や（特許文献１）、同じく所要厚さの緩衝体を内蔵させるとともに透孔を複数開設して通気性を高めた肩紐や背負い鞄本体の背当て板（特願2003-159067）を提案しており、これによれば、背負い心地を向上させつつ蒸れの解消を図ることができる。
【特許文献１】特開2004-65462号公報
【発明の開示】
【発明が解決しようとする課題】
【０００４】
しかしながら、上記のような肩紐や背当て板によっても、使用しているうちに緩衝体がへたったり折り癖がついてしまうという問題が依然として残り、長期間の使用によって背負い心地が悪化してしまうことは避けられなかった。
【０００５】
また、背当て板や肩紐の内面は、常に背中または肩に当接するため汚れやすく、破損し易いにもかかわらず、洗浄や修理が行いにくいという問題や、上記従来の緩衝体は、その大きさや配置が使用者の体型に合わず体にフィットしないことがあるとか、成長に伴う体型の変化に対応させることができないという問題があった。
【０００６】
そこで、本発明は、緩衝体がへたったり折り癖がついたり、あるいは汚れたり破損した場合にも、背負い心地を改善し、清潔な状態で使用することができ、また、使用者の体型に合わせて、あるいはその体型の変化に合わせて背負い心地を調整できるようにした背負い鞄の提供を目的とするものである。
【課題を解決するための手段】
【０００７】
請求項１記載の本発明背負い鞄は、背負い鞄本体２，１８の背当て面に、背中用緩衝体Ａ，Ｃ，Ｅを、緩衝体取付手段により接離自在にして取り付けている。
【０００８】
請求項２記載の本発明背負い鞄は、背負いベルトの内面の肩に当接することとなる部分に、肩用緩衝体Ｂ，Ｄ，Ｆを緩衝体取付手段により接離自在にして取り付けている。
【０００９】
請求項３記載の本発明背負い鞄は、背負い鞄本体２，１８の背当て面に、背中用緩衝体Ａ，Ｃ，Ｅを、緩衝体取付手段により接離自在にして取り付けるとともに、背負いベルトの内面の肩に当接することとなる部分に、肩用緩衝体Ｂ，Ｄ，Ｆを緩衝体取付手段により接離自在にして取り付けている。
【００１０】
請求項４記載の本発明は、上記背中用緩衝体Ａが、上記背当て面とほぼ同幅の角形Ｕ字状で肉厚のものである請求項１または３記載の背負い鞄である。
【００１１】
請求項５記載の本発明は、複数の上記背中用緩衝体Ｃ……，Ｅ……を、背負い鞄本体の背当て面の任意の位置に接離自在にして取り付けている請求項１または３記載の背負い鞄である。
【００１２】
請求項６記載の本発明は、上記肩用緩衝体Ｂが、背負いベルト６，６の内面の上記肩に当接することとなる部分とほぼ同形同大のものである請求項２または３記載の背負い鞄である。
【００１３】
請求項７記載の本発明は、複数の上記肩用緩衝体Ｄ……，Ｆ……を、背負いベルトの内面の上記肩に当接することとなる部分に接離自在にして取り付けている請求項２または３記載の背負い鞄である。
【００１４】
請求項８記載の本発明は、上記緩衝体取付手段が、面ファスナーである請求項１，２，３，４，５，６または７記載の背負い鞄である。
【００１５】
請求項９記載の本発明は、上記緩衝体取付手段が、フックと受け金である請求項１，２，３，４，５，６または７記載の背負い鞄である。
【００１６】
請求項１０記載の本発明は、上記緩衝体取付手段が、スナップである請求項１，２，３，４，５，６または７記載の背負い鞄である。
【００１７】
請求項１１記載の本発明は、上記緩衝体取付手段が、接離自在な接着剤である請求項１，２，３，４，５，６または７記載の背負い鞄である。
【発明の効果】
【００１８】
本発明によれば、背負い鞄本体の背当て面または／および背負いベルトの内面の肩に当接することとなる部分に、緩衝体を、緩衝体取付手段により接離自在にして取り付けているので、上記緩衝体がへたったり折り癖がついたり、あるいは汚れたり破損した場合にも、その緩衝体を交換することにより背負い心地を改善し、清潔な状態で使用することができる。また、適当な材質，形状，寸法の緩衝体を選択して取り付けることにより、使用者の体型に合わせて、あるいはその体型の変化に合わせて背負い心地を調整できる。
【発明を実施するための最良の形態】
【００１９】
背負い鞄本体２，１８の背当て面に、背中用緩衝体Ａ，Ｃ，Ｅを、緩衝体取付手段により接離自在にして取り付けてなる背負い鞄。また、背負いベルトの内面の肩に当接することとなる部分に、肩用緩衝体Ｂ，Ｄ，Ｆを緩衝体取付手段により接離自在にして取り付けてなる背負い鞄。
【実施例１】
【００２０】
以下、本発明をランドセルに適用した実施例１について図１〜４を参照しながら詳しく説明する。
１は背負い鞄本体たる筐体２の背当て板、３はその背当て板１の背当て面（前面）の左右縁部および下縁部に沿う角形Ｕ字状で、貼着，溶着または縫着等により取り付けられている面ファスナーである。
【００２１】
４，４は、小紐５，５と接続されてこれとともに背負いベルト６，６をなす大紐で、これはやや湾曲した形状の、肩に当接する幅広部４ａの長手方向一側に、幅細の背環巻回部４ｂを延長形成し、長手方向他側に、同じく幅細の小紐緊締部４ｃを延長形成しているものである（図３）。
７，７は、その大紐４，４の、上記幅広部４ａの内面（肩に当接する面）に、貼着，溶着または縫着等により取り付けた帯状の面ファスナーである。
【００２２】
Ａは、上記筐体２の背当て板１とほぼ同幅の下辺部Ａ１とその左右両端から上方に延出する左右側辺部Ａ２，Ａ３とを有する角形Ｕ字状で肉厚の背中用緩衝体である。
それは、スポンジや立体メッシュ素材等からなる緩衝材８を、皮革（天然皮革および合成皮革を含む。以下同じ。），布帛，メッシュ素材等からなる被覆材９で被覆するとともに、その裏面に、上記背当て板１に取り付けてある上記面ファスナー３と同形同大の角Ｕ字状に配置され、該面ファスナー３に取外し自在に係合する面ファスナー１０を、貼着，溶着または縫着等により取り付けてなる（図２）。
そして、上記面ファスナー１０は、上記面ファスナー３とで、接離自在な緩衝体取付手段を構成することになる。
【００２３】
なお、上記背中用緩衝体Ａは、たとえば緩衝材８と面ファスナー１０との間に芯となる板材等を挟み込むようにしてもよい（図示しない）。
【００２４】
Ｂ，Ｂは、上記大紐４，４の幅広部４ａ，４ａとほぼ同形同大の湾曲した略長方形状をなす肉厚の肩用緩衝体で、これは、上記背中用緩衝体Ａと同じくスポンジや立体メッシュ素材等からなる緩衝材１１を、皮革，布帛，メッシュ素材等からなる被覆材１２で被覆するとともに、その裏面に、上記大紐４，４に取り付けてある上記面ファスナー７，７と同大で、該面ファスナー７，７に取外し自在に係合する帯状の面ファスナー１３，１３を貼着，溶着または縫着等により取り付けてなる（図４）。
そして、上記面ファスナー１３，１３は、上記面ファスナー７，７とで、接離自在な緩衝体取付手段を構成することになる。
【００２５】
上記面ファスナー３と１０、また、面ファスナー７，７と１３，１３とからなる緩衝体取付手段は、いずれも、従来公知の各種の面ファスナーを採用することができ、一方のフックを他方のループパイルに引っ掛けて係合させるタイプのものに限らず、球状等にした頭部を有する繊維を多数植設した、互いに同構造のもの同士を、その頭部同士を引っ掛けて係合させるタイプのものでもよい。
【００２６】
上記背中用緩衝体Ａは、上記面ファスナー１０と上記面ファスナー３とを係合させて筐体２の背当て板１に接離自在にして取り付けられており、また、上記肩用緩衝体Ｂ，Ｂは、上記面ファスナー１３，１３と上記面ファスナー７，７とを係合させて上記大紐４，４の幅広部４ａ，４ａの内面に同じく接離自在に取り付けられている。
【００２７】
したがって、上記背負いベルト６，６に両腕を通して本実施例のランドセルを背負うと、上記背中用緩衝体Ａが背中（腰および両脇）に当接するとともに、上記肩用緩衝体Ｂ，Ｂが両肩に当接し、荷重を分散するとともに衝撃を吸収するので背負い心地がよい。
【００２８】
長期間の使用により背中用緩衝体Ａまたは肩用緩衝体Ｂ，Ｂがへたったり、折り癖が付いたり、汚れたり、破損するなどした場合、これを取り外して洗浄または修理をしたり、あるいは別の緩衝体に交換することができる。
このように、本実施例のランドセルは、従来交換ができなかった緩衝体を交換可能にしたから、背負い心地の悪化を防止できるとともに、清潔な状態を維持して長期間の使用ができる。
【００２９】
特に、上記緩衝材８，１１および被覆材９，１２をメッシュ素材等で構成したものを選択した場合には、通気性を十分に確保することができるので、汗や湿気によっても蒸れにくい。
また、緩衝体Ａ，Ｂ，Ｂとして、素材や厚さや硬さの異なるものを複数種用意しておけば、使用者がその中から自らの体型や好みに合わせて適宜選択できるようにすることができる。
【００３０】
なお、上記では緩衝体Ａ，Ｂ，Ｂの側の面ファスナー１０，１３，１３は、該緩衝体Ａ，Ｂ，Ｂの裏面に角形Ｕ字状または帯状にして取り付けたが、該緩衝体Ａ，Ｂ，Ｂの隅部等の適宜位置に、小さく裁断した必要な数の面ファスナーを間隔をおいて取り付けるなどしてもよい。その場合、背当て板１および大紐３，３への面ファスナーの取付けも、対応する位置のみに行うようにすればよい。
【００３１】
また、緩衝体取付手段としては、上記の互いに対となる面ファスナーの他、一対のフックと受け金、一対の凸形と凹形からなるスナップ（押しホック）、あるいは、接着と剥離とを繰り返し行える接離自在な接着剤等、各緩衝体Ａ，Ｂ，Ｂを背当て板１および大紐３，３に取外し自在に取り付けることができる各種のものを採用することができる。
【００３２】
上記では背当て板１に面ファスナー３を角Ｕ字状に配置して取り付け、背中用緩衝体Ａを角Ｕ字状のものにしたが、面ファスナーの配置および背中用緩衝体Ａの形状は、使用者の背中にフィットするように適宜変更することができる。
【実施例２】
【００３３】
次に、本発明を実施例１と同じくランドセルに適用した実施例２について図５〜７を参照しながら詳しく説明する。
なお、本実施例のランドセルの筐体２、大紐４，４、面ファスナー３，７，７等は実施例１のものと同一であるので、同一部分に同一符号を付すにとどめ、説明は省略する。
【００３４】
Ｃ……は、縦横の幅を、背当て板１の横幅の１／４〜１／６程度にした肉厚方形の背中用緩衝体である。
これは、スポンジや立体メッシュ素材等からなる緩衝材１４を、皮革，布帛，メッシュ素材等からなる被覆材１５で被覆するとともに、その裏面に、上記背当て板１に取り付けてある上記面ファスナー３に取外し自在に係合し、該面ファスナー３とともに緩衝体取付手段をなす面ファスナー１６を、貼着，溶着または縫着等により取り付けてなる（図６）。
【００３５】
Ｄ……は、それぞれ、該幅広部４ａ，４ａの中央部およびその両側部とほぼ同形同大にした肉厚の肩用緩衝体である。
これらの肩用緩衝体Ｄ……も、上記背中用緩衝体Ｃ……と同様に、スポンジや立体メッシュ素材等からなる緩衝材を、皮革，布帛，メッシュ素材等からなる被覆材で被覆するとともに、その裏面に、上記幅広部４ａに取り付けてある上記面ファスナー７，７に取外し自在に係合し、該面ファスナー７，７とともに緩衝体取付手段をなす面ファスナーを、貼着，溶着または縫着等により取り付けてなる。
【００３６】
なお、上記緩衝体Ｃ……，Ｄ……が、その形状を適宜変更でき、また、厚さや硬さの異なるものを複数用意しておくのが好ましいこと等は、上記実施例１と同様である。また、上記緩衝体取付手段として、従来公知の各種の面ファスナー、フックと受け金、スナップ、接離自在な接着剤等を採用できることも実施例１と同様である。
【００３７】
上記背中用緩衝体Ｃ……は、上記背当て板１の上記面ファスナー３の任意の位置に任意の数だけ、裏面の面ファスナー１６を係合させて、接離自在にして取り付けることができる。
また、上記肩用緩衝体Ｄ……も、裏面の面ファスナーを上記面ファスナー７，７の任意の位置に任意の数だけ、接離自在にして取り付けることができる。
なお、上記面ファスナー３，７，７の大きさや配置は適宜変更できるもので、緩体Ｃ……またはＤ……を取り付ける可能性がある各所に取り付けておくようにすればよい。
【００３８】
したがって、使用者は、自らの体型に合わせて、あるいは好みに応じて適当な素材，厚さおよび硬さの上記背中用緩衝体Ｃ……および肩用緩衝体Ｄ……を必要な数だけ、必要な配置にして取り付けることにより、適切に荷重を分散するとともに衝撃を吸収させることができるので背負い心地がよい。
このように、本実施例のランドセルは、従来交換ができなかった緩衝体を、部分ごとに取付けおよび取外し可能にしたから、使用者の体型に応じて、あるいはその体型の変化に応じて背負い心地を調整できる。
【実施例３】
【００３９】
次に、本発明をリュックサックに適用した実施例３について図８を参照しながら詳しく説明する。
１７は、背負い鞄本体たる袋体１８の背当て面（前面）、１９，１９はその背当て面１７の左右縁部に沿わせて、貼着，溶着または縫着等により取り付けた帯状の面ファスナーである。
【００４０】
２０，２０は大紐、２１，２１はこの大紐２０，２０と接続されてこれとともに背負いベルトをなす小紐で、２２，２２はその大紐２０，２０の内面（肩に当接する面）に、貼着，溶着または縫着等により取り付けた帯状の面ファスナーである。
【００４１】
Ｅ……は、所要の寸法にした肉厚方形の背中用緩衝体である（１つのみ図示した。）。これは、スポンジや立体メッシュ素材等からなる緩衝材を、皮革，布帛，メッシュ素材等からなる被覆材で被覆するとともに、その裏面に、上記袋体１８の背当て面１７に取り付けてある上記面ファスナー１９，１９に取外し自在に係合し、該面ファスナー１９，１９とともに緩衝体取付手段をなす面ファスナーを、貼着，溶着または縫着等により取り付けてなる。
【００４２】
Ｆ……は、所要の寸法にした肉厚方形の肩用緩衝体である（１つのみ図示した。）。これは、スポンジや立体メッシュ素材等からなる緩衝材を、皮革，布帛，メッシュ素材等からなる被覆材で被覆するとともに、その裏面に、大紐２０，２０の内面に取り付けてある上記面ファスナー２２，２２に取外し自在に係合し、該面ファスナー２２，２２とともに緩衝体取付手段をなす面ファスナーを、貼着，溶着または縫着等により取り付けてなる。
【００４３】
なお、これら緩衝体Ｅ……，Ｆ……の大きさ，形状，厚さ，硬さ等は適宜決定することができる。また、上記緩衝体取付手段として、従来公知の各種のものを採用できることは実施例１および実施例２と同様である。
【００４４】
上記背中用緩衝体Ｅ……は、上記背当て面１７の上記面ファスナー１９，１９の任意の位置に任意の数だけ、裏面の面ファスナーを係合させて、接離自在にして取り付けることができる。
また、上記肩用緩衝体Ｆ……は、上記大紐２０，２０の内面の上記面ファスナー２２，２２の任意の位置に任意の数だけ、裏面の面ファスナーを係合させて、接離自在にして取り付けることができる。
【００４５】
なお、上記では帯状にした面ファスナー１９，１９を、袋体１８の背当て面１７の左右縁部に２本取り付けたが、その数，配置および形状は変更可能で、取付け背当て面の適宜位置に、適宜の形状の面ファスナーを適宜の数だけ取り付けるようにすることができる。
【００４６】
したがって、使用者は、自らの体型に合わせてあるいは好みに応じて、適当な素材，厚さおよび硬さの上記背中用緩衝体Ｅ……および肩用緩衝体Ｆ……を必要な数だけ、必要な配置にして取り付けることができるから、適切に荷重を分散するとともに衝撃を吸収するので背負い心地がよい。
また、緩衝体を、部分ごとに取付けおよび取外し可能にしたから、緩衝体がへたったり折り癖がついたり、あるいは汚れたり破損した場合には、これを取り替えることにより背負い心地や清潔感を維持できる。
【図面の簡単な説明】
【００４７】
【図１】本発明の実施例１に係るランドセルを示した斜視図である。
【図２】その要部拡大断面図である。
【図３】同上の肩紐の斜視図である。
【図４】図３のI-I線断面図である。
【図５】本発明の実施例２に係るランドセルを示した一部省略斜視図である。
【図６】その要部拡大断面図である。
【図７】同上の肩紐の斜視図である。
【図８】本発明の実施例３に係るリュックサックを示した斜視図である。
【符号の説明】
【００４８】
Ａ，Ｃ，Ｅ  背中用緩衝体
Ｂ，Ｄ，Ｆ  肩用緩衝体
１  背当て板
２  筐体
３  面ファスナー
４  大紐
５  小紐
６  背負いベルト
７  面ファスナー
８  緩衝材
９  被覆材
１０  面ファスナー
１１  緩衝材
１２  被覆材
１３  面ファスナー
１４  緩衝材
１５  被覆材
１６  面ファスナー
１７  背当て面
１８  袋体
１９  面ファスナー
２０  大紐
２１  小紐
２２  面ファスナー
【図１】
2006122543.tif 000003
【図２】
2006122543.tif 000004
【図３】
2006122543.tif 000005
【図４】
2006122543.tif 000006
【図５】
2006122543.tif 000007
【図６】
2006122543.tif 000008
【図７】
2006122543.tif 000009
【図８】
2006122543.tif 000010